【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
印刷データに基づいて印刷する印刷手段と、
利用者の印刷指示に応じて印刷データを作成して送信すると共に送信先で受信されなかった印刷データを記憶手段に記憶する情報処理装置を、予め登録する登録手段と、
自装置が印刷データの受信が不能な状態から印刷データの受信が可能な状態に復帰したときに、前記登録されている情報処理装置に、自装置で受信されなかった印刷データが記憶されているか否かを確認する確認手段と、
印刷データが記憶されていることが確認された情報処理装置に対して、前記記憶されている印刷データの送信を要求する要求手段と、
前記要求手段の要求に応じて送信された印刷データを受信した場合に、該受信した印刷データに基づいて印刷が行なわれるように前記印刷手段を制御する制御手段と、
を備えた印刷装置。
【請求項２】
前記登録された情報処理装置を識別する装置識別情報又は前記登録された情報処理装置を利用する利用者を識別する利用者識別情報を受け付ける受付手段を更に備え、
前記確認手段は、自装置が前記印刷データの受信が不能な前記状態から前記印刷データの受信が可能な状態に復帰したときに、前記受付手段が受け付けた装置識別情報により識別される情報処理装置、又は前記受付手段が受け付けた利用者識別情報により識別される利用者が利用する情報処理装置に、自装置で受信されなかった印刷データが記憶されているか否かを確認する
請求項１に記載の印刷装置。
【請求項３】
印刷データが記憶されていることが確認された情報処理装置から、前記記憶されている印刷データを識別する印刷データ識別情報を取得して表示手段に表示する処理を行う表示処理手段と、
前記表示手段に表示された印刷データ識別情報から、印刷する印刷データの印刷データ識別情報を利用者に選択させるための選択手段と、
を更に備え、
前記要求手段は、印刷データが記憶されていることが確認された情報処理装置に対して、前記記憶されている印刷データのうち、前記選択手段で選択された印刷データ識別情報により識別される印刷データの送信を要求する
請求項１又は請求項２に記載の印刷装置。
【請求項４】
前記印刷データの受信が不能な状態は、電源オフ状態又は省電力状態である
請求項１〜請求項３のいずれか１項記載の印刷装置。
【請求項５】
印刷データに基づいて印刷する印刷手段、利用者の印刷指示に応じて印刷データを作成して送信すると共に送信先で受信されなかった印刷データを記憶手段に記憶する情報処理装置を、予め登録する登録手段、自装置が印刷データの受信が不能な状態から印刷データの受信が可能な状態に復帰したときに、前記登録されている情報処理装置に、自装置で受信されなかった印刷データが記憶されているか否かを確認する確認手段、印刷データが記憶されていることが確認された情報処理装置に対して、前記記憶されている印刷データの送信を要求する要求手段、及び前記要求手段の要求に応じて送信された印刷データを受信した場合に、該受信した印刷データに基づいて印刷が行なわれるように前記印刷手段を制御する制御手段、を備えた印刷装置に対して、利用者からの印刷指示に応じて印刷データを作成して送信する送信手段と、
前記送信手段により送信された印刷データが、前記印刷装置で受信されなかった場合に、該受信されなかった印刷データを記憶手段に記憶する処理を行う記憶処理手段と、
前記印刷装置から前記記憶手段に記憶されている印刷データの送信の要求があった場合に、該送信要求された印刷データを前記印刷装置に対して再送信する再送信手段と、
を備えた情報処理装置。
【請求項６】
請求項１〜請求項４のいずれか１項記載の印刷装置と、
請求項５に記載の情報処理装置と、
を備えた印刷システム。
【請求項７】
印刷データに基づいて印刷する印刷手段を備えた印刷装置に搭載されるコンピュータを、
利用者の印刷指示に応じて印刷データを作成して送信すると共に送信先で受信されなかった印刷データを記憶手段に記憶する情報処理装置を、予め登録する登録手段、
自装置が印刷データの受信が不能な状態から印刷データの受信が可能な状態に復帰したときに、前記登録されている情報処理装置に、自装置で受信されなかった印刷データが記憶されているか否かを確認する確認手段、
印刷データが記憶されていることが確認された情報処理装置に対して、前記記憶されている印刷データの送信を要求する要求手段、及び
前記要求手段の要求に応じて送信された印刷データを受信した場合に、該受信した印刷データに基づいて印刷が行なわれるように前記印刷手段を制御する制御手段、
として機能させるためのプログラム。
【請求項８】
コンピュータを、
印刷データに基づいて印刷する印刷手段、利用者の印刷指示に応じて印刷データを作成して送信すると共に送信先で受信されなかった印刷データを記憶手段に記憶する情報処理装置を、予め登録する登録手段、自装置が印刷データの受信が不能な状態から印刷データの受信が可能な状態に復帰したときに、前記登録されている情報処理装置に、自装置で受信されなかった印刷データが記憶されているか否かを確認する確認手段、印刷データが記憶されていることが確認された情報処理装置に対して、前記記憶されている印刷データの送信を要求する要求手段、及び前記要求手段の要求に応じて送信された印刷データを受信した場合に、該受信した印刷データに基づいて印刷が行なわれるように前記印刷手段を制御する制御手段、を備えた印刷装置に対して、利用者からの印刷指示に応じて印刷データを作成して送信する送信手段、
前記送信手段により送信された印刷データが、前記印刷装置で受信されなかった場合に、該受信されなかった印刷データを記憶手段に記憶する処理を行う記憶処理手段、及び
前記印刷装置から前記記憶手段に記憶されている印刷データの送信の要求があった場合に、該送信要求された印刷データを前記印刷装置に対して再送信する再送信手段、
として機能させるためのプログラム。
【手続補正２】
【補正対象書類名】明細書
【補正対象項目名】０００９
【補正方法】変更
【補正の内容】
【０００９】
請求項５の発明は、印刷データに基づいて印刷する印刷手段、利用者の印刷指示に応じて印刷データを作成して送信すると共に送信先で受信されなかった印刷データを記憶手段に記憶する情報処理装置を、予め登録する登録手段、自装置が印刷データの受信が不能な状態から印刷データの受信が可能な状態に復帰したときに、前記登録されている情報処理装置に、自装置で受信されなかった印刷データが記憶されているか否かを確認する確認手段、印刷データが記憶されていることが確認された情報処理装置に対して、前記記憶されている印刷データの送信を要求する要求手段、及び前記要求手段の要求に応じて送信された印刷データを受信した場合に、該受信した印刷データに基づいて印刷が行なわれるように前記印刷手段を制御する制御手段、を備えた印刷装置に対して、利用者からの印刷指示に応じて印刷データを作成して送信する送信手段と、前記送信手段により送信された印刷データが、前記印刷装置で受信されなかった場合に、該受信されなかった印刷データを記憶手段に記憶する処理を行う記憶処理手段と、前記印刷装置から前記記憶手段に記憶されている印刷データの送信の要求があった場合に、該送信要求された印刷データを前記印刷装置に対して再送信する再送信手段と、を備えた情報処理装置である。 
【手続補正３】
【補正対象書類名】明細書
【補正対象項目名】００１２
【補正方法】変更
【補正の内容】
【００１２】
請求項８の発明は、コンピュータを、印刷データに基づいて印刷する印刷手段、利用者の印刷指示に応じて印刷データを作成して送信すると共に送信先で受信されなかった印刷データを記憶手段に記憶する情報処理装置を、予め登録する登録手段、自装置が印刷データの受信が不能な状態から印刷データの受信が可能な状態に復帰したときに、前記登録されている情報処理装置に、自装置で受信されなかった印刷データが記憶されているか否かを確認する確認手段、印刷データが記憶されていることが確認された情報処理装置に対して、前記記憶されている印刷データの送信を要求する要求手段、及び前記要求手段の要求に応じて送信された印刷データを受信した場合に、該受信した印刷データに基づいて印刷が行なわれるように前記印刷手段を制御する制御手段、を備えた印刷装置に対して、利用者からの印刷指示に応じて印刷データを作成して送信する送信手段、前記送信手段により送信された印刷データが、前記印刷装置で受信されなかった場合に、該受信されなかった印刷データを記憶手段に記憶する処理を行う記憶処理手段、及び印刷装置から前記記憶手段に記憶されている印刷データの送信の要求があった場合に、該送信要求された印刷データを前記印刷装置に対して再送信する再送信手段、として機能させるためのプログラムである。